(57)【特許請求の範囲】
【請求項１】
形状を同じくする一対の合成樹脂製の挟持片と、該挟持片を外側から押圧して挟持する金属製のバネ体と、
で構成されるピンチ具であって、
前記挟持片は、前方に位置する挟持部と、中央に位置する回動支点部と、後方に位置する把持部と、該挟持部と回動支点部の間に位置するあご部と、で構成されると共に、該把持部からあご部にかけて前記バネ体が挿通されるスリット溝を形成して成り、
前記挟持部は、物品を挟持する平面状の挟持面を形成して成り、
前記あご部は、内側に前記挟持部の逃げ空間を形成すると共に、外側が前記スリット溝の底面部を成して、該底面部には先端部に向かって外側へ山形状に膨出して傾斜するスロープ部と、その最奥部に落とし込み穴を形成して成り、
前記回動支点部は、厚み方向の中心位置に設けられる前記スリット溝を挟んだ両側に回動凹部と回動凸部とを跨設して成り、
前記把持部は、後端部が外方向に向かって拡開する形状に形成して成り、
前記バネ体は、棒状または板状のバネ部材を一部が開口した開口部を形成しつつ内側方向に付勢する形状に成形し、かつ、該開口部を成すバネ部材の両先端部が折り返されて成り、
前記挟持片を対向させて前記回動支点部の回動凹部と回動凸部とを嵌合させて前記挟持面同士を当接させた状態において、前記バネ体の開口部を先頭にして前記把持部の内側から挟持片のスリット溝へバネ体を挿通することで、該バネ体の先端部が前記あご部の山形状に膨出して傾斜するスロープ部に沿って押し込まれ、最終的にスロープ部の最奥部にある落とし込み穴に該先端部が落とし込まれて組み合わされることによって、前記バネ体が前記ピンチ具の外形輪郭内に設けられることを特徴とするピンチ具。
【請求項２】
前記スリット溝を外側が塞閉されるバネ体挿通溝とすると共に、前記落とし込み穴を貫通する落とし込み通し穴としたことを特徴とする請求項１記載のピンチ具。
【請求項３】
前記バネ体を合成樹脂素材で被覆またはコーティングしたことを特徴とする請求項１または請求項２記載のピンチ具。
【発明の詳細な説明】
【技術分野】
【０００１】
本発明は、バネ体をピンチ具の外形輪郭内に設けて洗濯物ならびに使用者の皮膚に直接接触することを回避すると共に、組立工程における手作業の簡素化ならびに自動化を可能にするピンチ具に関する。
【背景技術】
【０００２】
従来の洗濯用のピンチ具の多くは、ピンチ具の外形輪郭からバネ体が突出して組み立てられていることから、長年に亘って使用され続けると金属バネの表面腐食による洗濯物への汚れの付着や、使用者の皮膚に直接触れることによって金属アネルギーなどのアネルギー症状を発症させる危険性があると共に、実用新案登録第３０６９７１６号公報（特許文献３）の図２で示されるように、その手作業による組み立て作業が極めて複雑であることから、組立工程における手作業の簡素化ならびに自動化を可能にすることができない現状にあった。
【０００３】
そのような状況下におけるピンチ具の生産体制は、商品価格自体が低価格であることから、刑務所内の刑務作業や身体障害施設の労務作業といった特殊環境の職場、低賃金の開発途上国などで生産されている現状において、バネ体をピンチ具の外形輪郭から突出しない構造と、組み立て作業の簡素化と、自動化による量産化が求められるものではあるが、従来のピンチ具の構造の複雑さが起因して、未だに実現されていないのが実情である。
【０００４】
上記の問題点を有する洗濯ピンチについては、従来より多くの提案がなされている。例えば、洗濯ピンチから洗濯物が滑り落ちたり、洗濯物に跡がついたりすることを無くし、しかも、洗濯ピンチの取扱いを容易できるようにした「洗濯ピンチ」（特許文献１参照）が提案され、公知技術となっている。
【０００５】
しかしながら、上記における「洗濯ピンチ」の提案は、一端に噛合部を、他端にハンドル部を有し、かつ噛合部を開閉させうるように両端間で揺動自在に連結されている一対の対向状ピンチ本体と、噛合部を閉鎖するように両ピンチ本体を付勢しているばねとを備えている洗濯ピンチにおいて、噛合部およびハンドル部の少なくともいずれか一方に、ラバーカバーが被覆された洗濯ピンチは、バネ体がピンチ具の外形輪郭から突出した状態で組み立てられていることから、長年に亘って使用され続けると金属バネの表面腐食による洗濯物への汚れの付着や、使用者の皮膚に直接触れることによって金属アネルギーなどのアネルギー症状を発症させる危険性があると共に、バネ体が手作業で組み込まれる構造であるため、製造段階における自動化を可能にすることができない提案であった。
【０００６】
また、手作業における組み立て作業の簡素化を図ろうとする提案がなされている。例えば、金属製丸バネ使用の物干し用ピンチについて、これ迄よりももっと簡単に組立てることができるようにすることを目的とする「物干し用ピンチ」（特許文献２参照）が提案され、公知技術となっている。
【０００７】
しかしながら、上記における「物干し用ピンチ」の提案は、対を成すピンチ本体の柄部長手方向に夫々穿設した長溝内に金属製丸バネを挿通し、その丸バネの突合わせ両端部がピンチ本体の挟持部外面部分に係止して、枢着部における回動自在な係合と共に挟持力を付与させた物干し用ピンチにおいて、該丸バネの大きさは、ピンチ本体の枢着部で回動自在に係合させ、且つ挟持部を重ね合わせた状態にあって、相対峙する長溝間に収納可能なものとなし、該丸バネの先端部分は、ピンチ本体の誘導部の先端箇所に強く押し当てることで、該丸バネの弾性に抗し拡開可能な湾曲導入箇所となし、該長溝は、ピンチ本体の誘導部の最終段である係止箇所まで穿設された構成となっている。かかる構成の物干し用ピンチは、手作業における組み立て作業の簡素化が図られるものではあるが、バネ体がピンチ具の外形輪郭から突出した状態で組み立てられていることから、長年に亘って使用され続けると金属バネの表面腐食による洗濯物への汚れの付着や、使用者の皮膚に直接触れることによって金属アネルギーなどのアネルギー症状を発症させる危険性があり、上記問題点を解決することができる提案ではなかった。
【０００８】
また、各種クリップの製造時にバネ装着を容易にし、自動組立機への適応性を高め、且つ装着後に外れ難い機構のバネと、それを受けるプラスチックまたは金属製の本体部を提供する「組立て易く、外れにくい構造のバネと本体を持ったプラスチックまたは、金属製のクリップ」（特許文献３参照）が提案され、公知技術となっている。
【０００９】
しかしながら、上記における「組立て易く、外れにくい構造のバネと本体を持ったプラスチックまたは、金属製のクリップ」の提案は、角バネまたは丸バネをプラスチックまたは金属製本体に適用し、バネ装着時にバネのスロープの頂点部をプラスチックまたは金属製本体の傾斜部と接触しつつ進行させて、自動的にバネの先端鉤部の関口度を増し、鉤受け凸部を超えると同時にバネのスロープ頂点部が弾力よって本体傾斜部頂点を外れて凹部に落ち込み、バネの鉤部が鉤受け止め部を抱え込んでバネの外れを防止する機構が形成され、バネの先端部を広げておき、装着時にバネのスロープ部頂点を本体傾斜部との接触させる形状により、自動機のバネ供給機構におけるバネの懸架方式への適応性能を向上させたクリップの提案であって、製造段階における自動化を可能にするピンチ具ではあるが、バネ体がピンチ具の外形輪郭から突出した状態で組み立てられていることから、長年に亘って使用され続けると金属バネの表面腐食による洗濯物への汚れの付着や、使用者の皮膚に直接触れることによって金属アネルギーなどのアネルギー症状を発症させる危険性があり、上記問題点を解決することができる提案ではなかった。
【００１０】
また、量産性、特に自動組み立てを可能とし、且つその組立工程の簡素化に寄与するものであり、しかも使用上における堅牢性について配慮した「挟持具」（特許文献４参照）が提案され、公知技術となっている。
【００１１】
しかしながら、上記における「挟持具」の提案は、先端部またはその近接部位を平面的かつ任意方向に折曲し相互に密接せしめた先行部と、それに連なる枠状部との間に、凹入せる接当部を介在させてなるばね主体と、中間部位の膨出部には支点機構を設け、かつ傾斜部を囲繞する周壁部、凹みおよびそれに連なる細隙部をそれぞれ設けてなる一対の挟持片とを組み合わせた挟持具であって、上記の提案と同様に製造段階における自動化を可能にするピンチ具ではあるが、バネ体がピンチ具の外形輪郭から突出した状態で組み立てられていることから、長年に亘って使用され続けると金属バネの表面腐食による洗濯物への汚れの付着や、使用者の皮膚に直接触れることによって金属アネルギーなどのアネルギー症状を発症させる危険性があり、上記問題点を解決することができる提案ではなかった。
【００１２】
また、対向する一対の挟持片の形状を全く同一とすることによってコストの低減と組み立ての容易性が実現し得ることは勿論、布などの被挟持体を傷めることなく、しかも、バネの弾揆力を有効に作用させ得て挟持力の大きなクリップを提供することを目的とする「クリップ」（特許文献５参照）が提案され、公知技術となっている。
【００１３】
しかしながら、上記における「クリップ」の提案は、回動支点を有する同一形状の一対の挟持片を対設させてバネを嵌装してなるクリップにおいて、対向する挟持面には断面三角形状の突起と溝とを交互に連続させた第1の波状突起群と、該第1の波状突起群とはその突起と溝の位置関係が逆になるように配列した第2の波状突起群を形成してなるクリップであって、上記の提案と同様に製造段階における自動化を可能にするピンチ具ではあるが、挟持片が対向する挟持面に第1の波状突起群と、第2の波状突起群を形成していることから形状が同一でないため製造コスト高になる問題と、バネ体がピンチ具の外形輪郭から露出した状態で組み立てられていることから、長年に亘って使用され続けると金属バネの表面腐食による洗濯物への汚れの付着や、使用者の皮膚に直接触れることによって金属アネルギーなどのアネルギー症状を発症させる危険性があり、上記問題点を解決することができる提案ではなかった。
【００１４】
本出願人は、以上のような金属アネルギーなどのアネルギー症状を発症させる危険性の問題点や、組立工程における手作業の簡素化や自動化の問題点に着目し、かかる問題点を簡単な構造と手段で同時に解決することができないものかとの着想の下、金属製のバネ体をピンチ具の外形輪郭内に設けて洗濯物ならびに使用者の皮膚に直接接触することを回避すると共に、組立工程における手作業の簡素化ならびに自動化を可能にするピンチ具を開発し、本発明における「ピンチ具」の提案に至るものである。
【先行技術文献】
【特許文献】
【００１５】
【特許文献１】特開２００１-２２４８９６号公報
【特許文献２】特開平７-２２２８９５号公報
【特許文献３】実用新案登録第３０６９７１６号公報
【特許文献４】実開昭５５-３７１００号公報
【特許文献５】実開昭６０-１１９３９８号公報
【発明の概要】
【発明が解決しようとする課題】
【００１６】
本発明は上記問題点に鑑み、金属製のバネ体をピンチ具の外形輪郭内に設けて洗濯物ならびに使用者の皮膚に直接接触することを回避すると共に、組立工程における手作業の簡素化ならびに自動化を可能にするピンチ具の提供を図ることを課題とする。
【課題を解決するための手段】
【００１７】
本発明のピンチ具は、上記課題を解決するためになされるもので、形状を同じくする一対の合成樹脂製の挟持片と、該挟持片を外側から押圧して挟持する金属製のバネ体と、で構成されるピンチ具であって、前記挟持片は、前方に位置する挟持部と、中央に位置する回動支点部と、後方に位置する把持部と、該挟持部と回動支点部の間に位置するあご部と、で構成されると共に、該把持部からあご部にかけて前記バネ体が挿通されるスリット溝を形成して成り、前記挟持部は、物品を挟持する平面状の挟持面を形成して成り、前記あご部は、内側に前記挟持部の逃げ空間を形成すると共に、外側が前記スリット溝の底面部を成して、該底面部には先端部に向かって外側へ山形状に膨出して傾斜するスロープ部と、その最奥部に落とし込み穴を形成して成り、前記回動支点部は、厚み方向の中心位置に設けられる前記スリット溝を挟んだ両側に回動凹部と回動凸部とを跨設して成り、前記把持部は、後端部が外方向に向かって拡開する形状に形成して成り、前記バネ体は、棒状または板状のバネ部材を一部が開口した開口部を形成しつつ内側方向に付勢する形状に成形し、かつ、該開口部を成すバネ部材の両先端部が折り返されて成り、前記挟持片を対向させて前記回動支点部の回動凹部と回動凸部とを嵌合させて前記挟持面同士を当接させた状態において、前記バネ体の開口部を先頭にして前記把持部の内側から挟持片のスリット溝へバネ体を挿通することで、該バネ体の先端部が前記あご部の山形状に膨出して傾斜するスロープ部に沿って押し込まれ、最終的にスロープ部の最奥部にある落とし込み穴に該先端部が落とし込まれて組み合わされることによって、前記バネ体が前記ピンチ具の外形輪郭内に設けられる手段を採る。
【００１８】
また本発明のピンチ具は、前記スリット溝を外側が塞閉されるバネ体挿通溝とすると共に、前記落とし込み穴を貫通する落とし込み通し穴とした手段を採る。
【００１９】
また本発明のピンチ具は、前記バネ体を合成樹脂素材で被覆またはコーティングした手段を採る。
【発明の効果】
【００２０】
本発明のピンチ具によれば、バネ体の開口部を先頭にして把持部の内側から挟持片のスリット溝へバネ体を挿通することで、該バネ体の先端部があご部の山形状に膨出して傾斜するスロープ部に沿って押し込まれ、最終的にスロープ部の最奥部にある落とし込み穴に該先端部が落とし込まれて組み合わされることによって、組立工程における手作業の簡素化ならびに自動化を可能にする形状を有すると共に、製造単価のコストダウンが図れるといった優れた効果を奏する。
【００２１】
また本発明のピンチ具によれば、金属製のバネ体をピンチ具の外形輪郭内に設けることによって、金属バネの表面腐食による洗濯物への汚れや錆びの付着を防ぐことができると共に、使用者の皮膚に直接触れることがないため、金属アネルギーなどのアネルギー症状を防ぐことができるといった優れた効果を奏する。
【００２２】
また本発明のピンチ具によれば、バネ体がピンチ具の外形輪郭内に設けられることによって、ピンチ具自体のコンパクト化が図れると同時に、布団用ピンチや物干し竿用ピンチ、角型ハンガーピンチなど、家庭用や工業用のピンチ具として利用できるといった優れた効果を奏する。
【００２３】
また本発明のピンチ具によれば、バネ体が挿入されるスリット溝を外側が塞閉されるバネ体挿通溝とすると共に、落とし込み穴を貫通する落とし込み通し穴とすることによって、バネ体がピンチ具の外形輪郭から露出しない構造としたり、ゴミなどがたまる恐れがあるスリット溝を省略化して外観美観を高めたりすることが可能であって、より機能的なユニバーサルデザインを施すことができるといった優れた効果を奏する。
【００２４】
また本発明のピンチ具によれば、バネ体を合成樹脂素材で被覆またはコーティングすることによって、金属バネの表面腐食による洗濯物への汚れや錆びの付着を防ぐことができると共に、使用者の皮膚に直接触れることがないため、金属アネルギーなどのアネルギー症状を防ぐことができるといった優れた効果を奏する。
【図面の簡単な説明】
【００２５】
【図１】本発明の請求項１記載のピンチ具における組み立て前の状態を示す説明図である。（実施例１）
【図２】本発明の請求項１記載のピンチ具における組み立て状態を示す説明図である。
【図３】本発明の請求項１記載のピンチ具の回動支点部を示す説明図である。
【図４】本発明の請求項２記載のピンチ具の実施形態を示す説明図である。（実施例２）
【図５】本発明のピンチ具の手作業における組み立て状態を示す説明図である。
【図６】本発明のピンチ具の自動化における組み立て状態を示す説明図である。
【図７】本発明のピンチ具と従来のピンチ具を比較する説明図である。
【発明を実施するための形態】
【００２６】
本発明のピンチ具１０は、形状を同じくする一対の合成樹脂製の挟持片２０と、該挟持片２０を外側から押圧して挟持する金属製のバネ体３６と、で構成されるピンチ具１０であって、該挟持片２０は、前方に位置する挟持部２４と、中央に位置する回動支点部２６と、後方に位置する把持部３２と、該挟持部２４と回動支点部２６の間に位置するあご部３０と、で構成すると共に、把持部３２からあご部３０にかけてバネ体３６が挿通されるスリット溝３４を形成して成るピンチ具１０を、挟持片２０を対向させて回動支点部２６の回動凹部２７と回動凸部２８とを嵌合させて挟持面２５同士を当接させた状態において、バネ体３６の開口部３７を先頭にして把持部３２の内側から挟持片２０のスリット溝３４へバネ体３６を挿通することで、該バネ体３６の先端部３８があご部３０の山形状に膨出して傾斜するスロープ部３１に沿って押し込まれ、最終的にスロープ部３１の最奥部にある落とし込み穴４０に該先端部３８が落とし込まれて組み合わされることによって、バネ体３６がピンチ具１０の外形輪郭内に設けられる手段を採用して、洗濯物ならびに使用者の皮膚に直接接触することを回避すると共に、組立工程における手作業の簡素化ならびに自動化を可能にすることを最大の特徴とする。以下、本発明の実施形態を、図面に基づいて説明する。
【００２７】
なお、本発明におけるピンチ具１０は、以下に述べる実施例に特に限定されるものではなく、本発明の技術的思想の範囲内、すなわち同一の作用効果を発揮できる形状及び寸法ならびに材質の範囲内で適宜変更することができる。
【実施例１】
【００２８】
図１は、本発明の請求項１記載のピンチ具における組み立て前の状態を示す説明図であり、図１（ａ）は側方断面図、図１（ｂ）は後方側面図、図１（ｃ）は底面図である。
本発明のピンチ具１０は、形状を同じくする合成樹脂製の一対の挟持片２０と、該挟持片２０を外側から押圧して挟持する金属製のバネ体３６と、で構成され、バネ体３６をピンチ具１０の外形輪郭内に設けて、洗濯物ならびに使用者の皮膚に直接接触することを回避すると共に、組立工程における手作業の簡素化ならびに自動化を可能にする形状を有して形成される。
【００２９】
挟持片２０は、前方に位置する挟持部２４と、中央に位置する回動支点部２６と、後方に位置する把持部３２と、該挟持部２４と回動支点部２６の間に位置するあご部３０と、で構成される共に、把持部３２からあご部３０にかけてバネ体３６が挿通されるスリット溝３４を形成し、形状を同じくした合成樹脂製の一対の挟持片２０を対向させた状態で組み合わされる。なお、挟持片２０全体の意匠的外観形状は、上記の構造を有していれば特に限定されるものではない。
【００３０】
挟持部２４は、挟持片２０の前方に位置して、物品を挟持する平面状の挟持面２５を形成する。かかる挟持面２５の具体的形状は、平面状であれば特に限定はなく、山形状のギザギザ溝、筋溝、ローレット状の滑り止めなどが施される仕様とすることが考え得る。
【００３１】
回動支点部２６は、挟持片２０の中央に位置すると共に、厚み方向の中心位置に設けられるスリット溝３４を挟んで回動凹部２７と回動凸部２８とが跨設して形成される。回動支点部２６が挟持片２０の中央に位置することで、把持部２４を手で握ることで反対側の挟持部２４が拡開されると共に、バネ体３６の力によって挟持部２４が閉じられることによって、洗濯物などの挟持物が挟持される構造となっている。
ちなみに、従来のピンチ具の回動支点部２６の構造は、本発明のピンチ具１０のように回動凹部２７と回動凸部２８とがスリット溝３４を挟んで跨設されていないため、バネ体３６が回動支点部２６の内側に押し込むことができずに、バネ体３６がピンチ具１０の外形輪郭内に収まることができない構造となり、結果的にバネ体３６がピンチ具１０の外形輪郭より突出した構造となる。
【００３２】
回動凹部２７ならびに回動凸部２８は、挟持片２０の厚み方向の中心位置に設けられるスリット溝３４を挟んで跨設され、対向する回動凹部２７ならびに回動凸部２８同士が嵌め込まれることによって、回動自在に摺動される構造で形成される。
ちなみに、図３(ｃ)及び図３（ｄ）で示すように、回動凹部２７ならびに回動凸部２８の形状は、特許文献５の実開昭６０-１１９３９８号で提案される「クリップ」のヒンジ部の突起ならびに凹所の形状を以ってして形成することも可能である。
【００３３】
あご部３０は、内側に挟持部２４の逃げ空間を形成すると共に、外側がスリット溝３４の底面部３５を成して、該底面部３５には先端部に向かって外側へ山形状に膨出して傾斜するスロープ部３１が形成され、その最奥部には落とし込み穴４０が形成される箇所である。
【００３４】
スロープ部３１は、あご部３０の底面部３５に先端部に向かって山形状に膨出して傾斜する形状で形成されるもので、先端部に向かって外側へ傾斜していることによって、バネ体３６の開口部３７がやや拡開した状態で組み込まれるため、常時挟持片２０を内側方向に付勢している状態で組み合わされる。また、スロープ部３１が山形状に膨出して傾斜していることによって、バネ体３６の開口部３７の先端部３８が落とし込み穴４０から外れ落ちることを防止する構造となる。
【００３５】
把持部３２は、後端部２２に吊フックが挿通される吊持穴３３を穿設すると共に、該後端部２２が外方向に向かって拡開する形状に形成される。吊フックが挿通される吊持穴３３が設けられることによって、ピンチ具１０自体を物干し竿やハンガーに自在に吊るすことができるため、洗濯物の形状や種類に合わせて使い分けることができる。
【００３６】
スリット溝３４は、把持部３２の後方からあご部３０にかけてバネ体３６が挿通されるスリット状の溝であって、挟持片２０の厚み方向の中心位置に設けられる。該スリット溝３４において、バネ体３６を外形輪郭内に位置した状態で組み付けることで、挟持片２０が内側方向に付勢した状態で組み合わされる。
【００３７】
バネ体３６は、金属製の棒状または板状のバネ部材を一部が開口した開口部３７を形成しつつ内側方向に付勢する楕円形状に成形し、かつ、該開口部３７を成すバネ部材の両先端部３８が折り返されて成形されている。挟持片２０を対向させて回動支点部２６の回動凹部２７と回動凸部２８とを嵌合させて挟持面２５同士を当接させた状態において、バネ体３６の開口部３７を先頭にして把持部３２の内側から挟持片２０のスリット溝３４へバネ体３６を挿通することで、該バネ体３６の先端部３８があご部３０の山形状に膨出して傾斜するスロープ部３１に沿って押し込まれ、最終的にスロープ部３１の最奥部にある落とし込み穴４０に該先端部３８が落とし込まれることによって、バネ体３６がピンチ具１０の外形輪郭内に位置した状態で組み合わされるものである。つまりバネ体３６がピンチ具１０の外形輪郭内に位置することで、金属バネの表面腐食による洗濯物への汚れや、錆びの付着を防ぐことができると共に、使用者の皮膚に直接触れることがないため、金属アネルギーなどのアネルギー症状を防ぐことができ、さらに、ピンチ具１０自体のコンパクト化が図れると同時に、外観的に美しく機能的なユニバーサルデザインを施すことができる。
なお、バネ体３６の形状は、上記楕円形状のほか、円形や角形、楕円形、三角形などバネ部材を内側方向に付勢すると共に、バネ体３６が外形輪郭内に位置して組み合わされる形状であれば、特にその形状を限定するものではない。
【００３８】
開口部３７は、バネ体３６の一部を開口して形成されるものであって、その先端部３８はＵ字状に折り返されている。先端部３８を折り返すことによって、該先端部３８が丸みを帯びた状態となり、挿入時において山形状に膨出して傾斜するスロープ部３１にスムーズに押し込むことができると共に、スロープ部３１の最奥部にある落とし込み穴４０に落とし込んだ状態から外れ落ちることを防止する形状となっている。
ちなみに、バネ体３６の開口部３７の先端部３８を略Ｌ字状に屈曲した状態で形成した場合には、上記の開口部３７の先端部３８をＵ字状に折り返した状態と比較して押し込み時には多少引っかかり傾向にあるが、外れ防止効果は然程大きく変わるものではない。
【００３９】
以上で構成される本発明におけるピンチ具１０の主な特徴は、
（１）挟持片２０が同一形状で形成される。
（２）回動支点部２６の回動凹部２７と回動凸部２８が相互に嵌合して回動する構造で形成される。
（３）スロープ部３１が山形状に膨出して傾斜している構造で形成される。
（４）バネ体３６の開口部３７を成す先端部３８を落とし込み穴４０に落とし込んでバネ体３６が外れ落ちることを防止する構造で形成される。
（５）バネ体３６を挟持片２０に設けられたスリット溝３４へ把持部３２の内側から差し込むことができる構造であることから、組立工程における自動化が可能になる。
（６）バネ体３６の形状について、バネ部材を内側方向に付勢する形状であれば円形、角形、楕円形、三角形など、特にその形状が限定されない構造で形成される。
（７）バネ体３６がピンチ具１０の外形輪郭内に設けられる構造で形成される。
など、従来のピンチ具と異なって多くの特徴や構造的相違点を有する。
【００４０】
図２は、本発明の請求項１記載のピンチ具における組み立て状態を示す説明図であり、図２（ａ）は組み立て前の状態を示す説明図である。
挟持片２０を対向させて回動支点部２６の回動凹部２７と回動凸部２８とを嵌合させて挟持面２５同士を当接させた状態において、バネ体３６の開口部３７を成す先端部３８を先頭にして把持部３２の内側から挟持片２０のスリット溝３４へバネ体３６を挿通することで、該バネ体３６の先端部３８があご部３０の山形状に膨出して傾斜するスロープ部３１に沿って押し込まれ、最終的にスロープ部３１の最奥部にある落とし込み穴４０に該先端部３８が落とし込まれる構造で形成される。
【００４１】
図２（ｂ）は組み立て後の側断面図、図２（ｃ）は組み立て後の使用状態を示す説明図である。
図面に示すように、バネ体３６がピンチ具１０の外形輪郭内に位置した状態で、組み合わされる構造となっている。
この時、バネ体３６があご部３０の底面部３５を内側方向に付勢していることによって、対向する挟持片２０同士が当接され、さらに回動支点部２６の回動凸部２８が回動凹部２７の嵌合摺動溝４１内に落とし込まれ、さらにまた嵌合摺動端部３９が回動凸部２８と回動凹部２７の飛び出しを防いでいることから、挟持片２０が後方にずれ込んだり外れたりすることはない。
【００４２】
以上で構成される本発明におけるピンチ具１０は、金属製のバネ体３６をピンチ具１０の外形輪郭内に設けて洗濯物ならびに使用者の皮膚に直接接触することを回避すると共に、組立工程における手作業の簡素化ならびに自動化を可能にする形状を有して形成される。
【００４３】
図３は、本発明の請求項１記載のピンチ具の回動支点部を示す説明図であり、図３（ａ）は分離した状態の後方側面図である。
回動支点部２６は、厚み方向の中心位置に設けられるスリット溝３４を挟んだ両側に、回動凹部２７と回動凸部２８とを跨設して形成される。
【００４４】
図３（ｂ）は、組み立てた状態の後方側面図である。
回動凹部２７と回動凸部２８とが跨設されて組み合わせされることによって、バネ体３６を挟持片２０の後方の把持部３２方向から挿入することができる。
【００４５】
図３（ｃ）および図３（ｄ）は、回動支点部２６の別の実施形態を示す説明図である。
回動支点部２６の回動凹部２７ならびに回動凸部２８に相当する形状は、ヒンジ部の凹所（２７）ならびに突起（２８）の形状を以ってして形成することも可能である。
【００４６】
以上で構成される本発明におけるピンチ具１０は、金属製のバネ体３６をピンチ具１０の外形輪郭内に設けて洗濯物ならびに使用者の皮膚に直接接触することを回避すると共に、組立工程における手作業の簡素化ならびに自動化を可能にする形状を有して形成される。
【実施例２】
【００４７】
図４は、本発明の請求項２記載のピンチ具の実施形態を示す説明図である。
本発明の請求項２記載のピンチ具１０は、前記請求項１記載のピンチ具１０のスリット溝３４を外側が塞閉されるバネ体挿通溝３４ａとすると共に、落とし込み穴４０を貫通する落とし込み通し穴４０ａとすることによって、金属製のバネ体３６がピンチ具１０の外形輪郭から露出しない構造であると共に、ゴミなどがたまる恐れがあるスリット溝３４を省略化して外観美観を高めることが可能であって、さらに位置決め穴２３や吊持穴３３、滑り止め加工部などを省略することによって、色彩、デザイン、形状を工夫して据え置き型の事務用クリップとしてや、工業用ならびに商業用の留め具として利用することができる。
【００４８】
バネ体挿通溝３４ａは、前記請求項1記載のスリット溝３４の外側が塞閉されて形成されるバネ体３６が挿通する溝である。
【００４９】
落とし込み通し穴４０ａは、成形加工上、射出成形時の金型の抜きを容易にするために、請求項1記載の落とし込み穴４０を通し穴仕様にしたものである。
【００５０】
図４（ａ）は平面図、図４（ｂ）は組み立て途中の状態を示す側断面図である。
挟持片２０を対向させて回動支点部２６の回動凹部２７と回動凸部２８とを嵌合させて挟持面２５同士を当接させた状態において、バネ体３６の開口部３７を成す先端部３８を先頭にして把持部３２の内側から挟持片２０のバネ体挿通溝３４aへバネ体３６を挿通することで、該バネ体３６の先端部３８があご部３０の山形状に膨出して傾斜するスロープ部３１に沿って押し込まれ、最終的にスロープ部３１の最奥部にある落とし込み通し穴４０ａに該先端部３８が落とし込まれる構造で形成される。
【００５１】
図４（ｃ）は組み立て後の側断面図、図４（ｄ）は作動状態を示す説明図である。
図面に示すように、金属製のバネ体３６がピンチ具１０の外形輪郭内に位置して組み合わされる構造となっている。
この時、バネ体３６があご部３０の底面部３５を内側方向に付勢していることによって、対向する挟持片２０同士が当接され、さらに回動支点部２６の回動凸部２８が回動凹部２７の嵌合摺動溝４１内に落とし込まれ、さらにまた嵌合摺動端部３９が回動凸部２８と回動凹部２７の飛び出しを防いでいることから、挟持片２０が後方にずれ込んだり外れたりすることはない。
【００５２】
以上で構成される本発明のピンチ具１０は、金属製のバネ体３６をピンチ具１０の外形輪郭内に設けて洗濯物ならびに使用者の皮膚に直接接触することを回避すると共に、該バネ体３６がピンチ具１０の外形輪郭から露出しない構造であり、ゴミなどがたまる恐れがあるスリット溝３４を省略化して外観美観を高めることが可能であって、より機能的なユニバーサルデザインを施すことができると共に、組立工程における手作業の簡素化ならびに自動化を可能にする。
【００５３】
図５は、本発明のピンチ具の手作業における組み立て状態を示す説明図であり、図５（１）〜図５（６）は手作業における組み立て手順を示す。
（１）一対の挟持片２０と、一つのバネ体３６が準備される。
（２）一対の挟持片２０を対向させて、回動支点部２６の回動凹部２７と回動凸部２８を嵌合させて組み立てる。
（３）挟持片２０の挟持部２４を指で摘んで把持部３２を拡開させた状態で、拡開した把持部３２の内側からバネ体３６の開口部３７を成す先端部３８を先頭にしてスリット溝３４に差し込む。
（４）あご部３０の山形状に膨出して傾斜するスロープ部３１に沿って押し込み、さらにバネ体３０の先端部３８をスロープ部３１の最奥部にある落とし込み穴４０に落とし込む。
（５）バネ体３６がピンチ具１０の外形輪郭内に位置して組み合わされていることを確認すると共に、把持部３２を握って回動支点部２６とバネ体３６の作動状態を確認する。
（６）終了
【００５４】
以上で構成される本発明のピンチ具１０の組立工程は、単に対向する一対の挟持片２０の後方からバネ体３６を挿入するだけの簡単な手作業で組み立てることができるため、組み立て工賃の節減と、作業労働者の熟練度を必要としない組み立て環境を提供することができる。
【００５５】
図６は、本発明のピンチ具の自動化における組み立て状態を示す説明図である。
例えば、挟持片２０が充填される２基の搬送フィーダー４２と、バネ体３６が充填される１基の搬送フィーダー４２と、挟持片２０にバネ体３６を押し込む回転ドラム４３ならびに油圧シリンダー４４と、搬送コンベア４５と、包装パック４６で梱包される自動化ラインによって、連続的に製造することができる。
【００５６】
以上で構成される本発明におけるピンチ具１０の自動組立ラインは、大規模な設備投資をすることなく、簡単な製造設備で自動化することができるため、製造単価のコストダウンと、大量生産を可能にすることができる。
【００５７】
図７は、本発明のピンチ具と従来のピンチ具を比較する説明図であり、比較説明に当たり構造的違いが理解しやすいように、各ピンチ具の形状を本発明のピンチ具の形状に合わせて作図してある。
図７（ａ）は、本発明におけるピンチ具１０の実施形態を示す全体図である。
本発明のピンチ具１０は、挟持片２０が合成樹脂製により同一形状で形成され、金属製のバネ体３６がピンチ具１０の外形輪郭から露出することなく、自動化を可能にする形状で形成される。
【００５８】
図７（ｂ）は、従来のピンチ具１０の実施形態を示す全体図である。
例えば、特許文献１の特開２００１-２２４８９６号で提案される「洗濯ピンチ」は、挟持片２０が同一形状で形成され、バネ体３６がピンチ具１０の外形輪郭から露出し、自動化を可能にすることができない形状で形成される（詳細説明：段落〔０００４〜０００５〕参照）。
【００５９】
図７（ｃ）は、従来のピンチ具１０の実施形態を示す全体図である。
例えば、特許文献２の特開平７-２２２８９５号で提案される「物干し用ピンチ」は、挟持片２０が同一形状で形成され、バネ体３６がピンチ具１０の外形輪郭から露出し、自動化を可能にする形状で形成される（詳細説明：段落〔０００６〜０００７〕参照）。
【００６０】
図７（ｄ）は、従来のピンチ具の実施形態を示す全体図である。
例えば、特許文献５の実開昭６０-１１９３９８号で提案される「クリップ」は、挟持片２０が同一形状でなく、バネ体３６がピンチ具１０の外形輪郭からやや露出し、自動化を可能にする形状で形成される（詳細説明：段落〔００１２〜００１３〕参照）。
【００６１】
上記のように比較された本発明のピンチ具１０は、挟持片２０が合成樹脂製により同一形状で形成され、金属製のバネ体３６がピンチ具１０の外形輪郭から露出することなく、自動化を可能にする形状で形成されることから、従来のピンチ具とは異なり、該バネ体３６をピンチ具１０の外形輪郭内に設けて洗濯物ならびに使用者の皮膚に直接接触することを回避することができると共に、組立工程における手作業の簡素化ならびに自動化を可能にすることができる。
【産業上の利用可能性】
【００６２】
本発明のピンチ具は、挟持片が合成樹脂製により同一形状で形成され、金属製のバネ体がピンチ具の外形輪郭から露出することなく、自動化を可能にする形状を有することから、布団用ピンチ、物干し竿用ピンチ、角型ハンガーピンチ、据え置き型の事務用クリップ、工業用ならびに商業用の留め具など家庭用や工業用のピンチ具として安価、且つ自動化による大量生産を可能にするもので、本発明における「ピンチ具」の産業上の利用可能性は大であると解する。
【符号の説明】
【００６３】
１０  ピンチ具
２０  挟持片
２１  先端部
２２  後端部
２３  位置決め穴
２４  挟持部
２５  挟持面
２６  回動支点部
２７  回動凹部
２８  回動凸部
３０  あご部
３１  スロープ部
３２  把持部
３３  吊持穴
３４  スリット溝
３４a バネ体挿通溝
３５  底面部
３６  バネ体
３７  開口部
３８  先端部
３９  嵌合摺動端部
４０  落とし込み穴
４０a 落とし込み通し穴
４１  嵌合摺動溝
４２  搬送フィーダー
４３  回転ドラム
４４  油圧シリンダー
４５  搬送コンベア
４６  包装パック
【要約】      （修正有）【課題】バネ体をピンチ具の外形輪郭内に設けて洗濯物ならびに使用者の皮膚に直接接触することを回避すると共に、組立工程における手作業の簡素化ならびに自動化を可能にするピンチ具の提供を図る。【解決手段】一対の挟持片２０と、該挟持片を外側から押圧して挟持するバネ体３６とで構成すると共に、該把持部３２からあご部３０にかけてバネ体が挿通されるスリット溝３４を形成して成るピンチ具１０を、挟持片を対向させて回動支点部２６の回動凹部２７と回動凸部２８とを嵌合させて挟持面２５同士を当接させた状態において、バネ体の開口部３７を先頭にして把持部の内側から挟持片のスリット溝へバネ体を挿通することで、該バネ体の先端部があご部の山形状に膨出して傾斜するスロープ部３１に沿って押し込まれ、最終的にスロープ部３１の最奥部にある落とし込み穴４０に落とし込まれて組み合わされることにより、バネ体がピンチ具の外形輪郭内に設けられる。【選択図】図１【図１】
0005511111.tif 000002
【図２】
0005511111.tif 000003
【図３】
0005511111.tif 000004
【図４】
0005511111.tif 000005
【図５】
0005511111.tif 000006
【図６】
0005511111.tif 000007
【図７】
0005511111.tif 000008